(57)【特許請求の範囲】
【請求項１】
顧客の店舗への来店を、当該顧客が保持する携帯端末を用いて受け付ける来店受付システムであって、
前記店舗内に設置され、前記携帯端末と非接触通信可能な情報提供装置と、
前記顧客の来店に関する情報を管理するための管理手段と、
を備え、
前記情報提供装置は、前記携帯端末に対しリダイレクト接続位置情報を接続先とする第１接続指示を送信する第１接続指示送信手段を有し、
前記管理手段は、
前記リダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、
前記第２接続指示作成手段が作成した前記第２接続指示を前記携帯端末に送信する第２接続指示送信手段と、
前記携帯端末から受信した前記第２接続要求に付加された識別子から前記識別情報を取得する第１の識別情報取得手段と、
前記第２接続要求から前記携帯端末の識別情報を直接取得する第２の識別情報取得手段と、
前記第１の識別情報取得手段が取得した識別情報と、前記第２の識別情報取得手段が取得した識別情報とを照合する照合手段と、
を有する来店受付システム。
【請求項２】
前記管理手段は、
所定の顧客の携帯端末の前記識別情報を記憶する識別情報記憶手段と、
第２接続要求受信手段が第２接続要求を受信したとき、前記照合手段による照合の結果前記２つの識別情報が一致し、かつ前記第２識別情報取得手段が取得した前記識別情報が前記識別情報記憶手段に記憶されていることを条件として、前記携帯端末を保持する顧客に対し所定の特典を付与する特典付与手段とをさらに含む、請求項１記載の来店受付システム。
【請求項３】
前記管理手段は、
第２接続指示作成手段によって作成された前記識別子を暗号化する暗号化手段と、
前記第２接続要求に含まれる前記識別子を復号する復号手段と、
を有し、
前記第１の識別情報取得手段が、前記復号手段によって復号された前記識別子に基づいて前記識別情報を取得する、請求項１または２に記載の来店受付システム。
【請求項４】
前記所定の特典が、顧客に対し所定の特典価値を付与するものであり、
前記来店受付システムが、顧客が有する前記特典価値を、当該顧客が保持する前記携帯端末の前記識別情報に対応付けて記憶して管理する特典情報管理手段をさらに含み、
前記特典付与手段は、前記特典情報管理手段に記憶されている当該顧客の前記特典価値に対し所定の特典価値を付加する手段を含む、請求項２または３に記載の来店受付システム。
【請求項５】
前記携帯端末は画像を表示するための表示部を有しており、
前記管理手段は、
前記特典付与手段から前記顧客に付与される特典の内容を前記表示部に表示するための表示データを作成する特典データ作成手段と、
前記表示データ作成手段によって作成された表示データを、前記携帯端末に送信する表示データ送信手段とをさらに含む、請求項２〜４のいずれか一項に記載の来店受付システム。
【発明の詳細な説明】
【技術分野】
【０００１】
この発明は、顧客の店舗への来店を、当該顧客が保持する携帯端末を用いて受け付ける来店受付システムおよびこれに用いられるリダイレクト装置に関する。
【背景技術】
【０００２】
たとえば、顧客の店舗への来店を、当該顧客が保持する非接触ＩＣチップを有する携帯電話機（携帯端末）を用いて受け付ける来店受付システムが提案されている（たとえば特許文献１）。この来店受付システムは、店舗内に設置され、非接触ＩＣチップに対してデータの読出し／書込みを行うリーダライタを有する受付端末と、店舗内または店舗外に設置された管理装置とを備えている。
【０００３】
たとえば特許文献１では、管理装置には、予め定める顧客の保持する携帯電話機の識別情報（ＩＤｍ（ＩＣチップの製造番号））が記憶されている。また、受付端末のリーダライタには、管理装置に接続するための管理装置ＵＲＬが記憶されている。
顧客が自己の保持する携帯電話機をリーダライタにタッチさせると、非接触ＩＣとリーダライタとが非接触通信し、リーダライタは、非接触ＩＣチップからＩＤｍを取得し、このＩＤｍと記憶している管理装置ＵＲＬとに基づいて、ＩＤｍを含むＵＲＬを作成する。このＵＲＬを含む接続指示をリーダライタから受信した携帯電話機は、接続指示に含まれるＵＲＬによって導かれて、管理装置にＵＲＬ接続する。管理装置は、ＵＲＬからＩＤｍを取得し、このＩＤｍと管理装置に記憶されているＩＤｍとを照合し、それらのＩＤｍが一致する場合は、顧客の来店を受付端末に受け付ける。また、非接触ＩＣとリーダライタとの間の非接触通信に伴って、携帯電話機のブラウザが起動し、管理装置へのＵＲＬ接続により、携帯電話機の表示部に所定の店舗情報が表示される。
【先行技術文献】
【特許文献】
【０００４】
【特許文献１】特開２００９-５９１２４号公報
【発明の概要】
【発明が解決しようとする課題】
【０００５】
本願発明者らは、来店した顧客に対して携帯電話機をタッチさせる顧客に対して特典を付与することを検討している。来店した顧客に対して特典を与えるには、携帯電話機（携帯端末）を利用することが簡便である。本願発明者が考える特典の付与は、集客効果を目的とするものであるため、店舗に実際に来店した顧客だけを対象とするものである。来店していない顧客に特典を付与すると、集客効果に寄与することができなくなる。そのため、タッチされる携帯電話機が予め定める顧客の携帯電話機であるか否かの本人照合を、高い精度で行う必要がある。しかしながら、本人照合の精度を高める目的で本人確認に煩雑な操作を要求すると、顧客の負担が過大になり、サービスの利用頻度を低減させるおそれもある。
【０００６】
そこで、この発明の目的は、高い精度で本人照合を実現することができる来店受付システムを提供することである。
【課題を解決するための手段】
【０００７】
請求項１記載の発明は、顧客の店舗への来店を、当該顧客が保持する携帯端末を用いて受け付ける来店受付システムであって、前記店舗内に設置され、前記携帯端末と非接触通信可能な情報提供装置と、前記顧客の来店に関する情報を管理するための管理手段と、を備え、前記情報提供装置は、前記携帯端末に対しリダイレクト接続位置情報を接続先とする第１接続指示を送信する第１接続指示送信手段を有し、前記管理手段は、前記リダイレクト位置情報を接続先とする前記携帯端末からの第１接続要求を受信したとき、当該第１接続要求に当該携帯端末を識別するための識別情報が含まれている場合に、前記携帯端末から受信した当該携帯端末の前記識別情報を特定可能な識別子を付加した形で来店受付用の接続位置情報を接続先とする第２接続指示を作成する第２接続指示作成手段と、前記第２接続指示作成手段が作成した前記第２接続指示を前記携帯端末に送信する第２接続指示送信手段と、前記携帯端末から受信した前記第２接続要求に付加された識別子から前記識別情報を取得する第１の識別情報取得手段と、前記第２接続要求から前記携帯端末の識別情報を直接取得する第２の識別情報取得手段と、前記第１の識別情報取得手段が取得した識別情報と、前記第２の識別情報取得手段が取得した識別情報とを照合する照合手段と、を有する来店受付システムである。
【００１１】
請求項２記載の発明は、前記管理手段は、所定の顧客の携帯端末の前記識別情報を記憶する識別情報記憶手段と、第２接続要求受信手段が第２接続要求を受信したとき、前記照合手段による照合の結果前記２つの識別情報が一致し、かつ前記第２識別情報取得手段が取得した前記識別情報が前記識別情報記憶手段に記憶されていることを条件として、前記携帯端末を保持する顧客に対し所定の特典を付与する特典付与手段とをさらに含む、請求項１記載の来店受付システムである。
【００１３】
請求項３記載の発明は、前記管理手段は、第２接続指示作成手段によって作成された前記識別子を暗号化する暗号化手段と、前記第２接続要求に含まれる前記識別子を復号する復号手段と、を有し、前記第１の識別情報取得手段が、前記復号手段によって復号された前記識別子に基づいて前記識別情報を取得する、請求項１または２に記載の来店受付システムである。
【００１４】
請求項４記載の発明は、前記所定の特典が、顧客に対し所定の特典価値を付与するものであり、前記来店受付システムが、顧客が有する前記特典価値を、当該顧客が保持する前記携帯端末の前記識別情報に対応付けて記憶して管理する特典情報管理手段をさらに含み、前記特典付与手段は、前記特典情報管理手段に記憶されている当該顧客の前記特典価値に対し所定の特典価値を付加する手段を含む、請求項２または３に記載の来店受付システムである。
【００１５】
請求項５記載の発明は、前記携帯端末は画像を表示するための表示部を有しており、前記管理手段は、前記特典付与手段から前記顧客に付与される特典の内容を前記表示部に表示するための表示データを作成する特典データ作成手段と、前記表示データ作成手段によって作成された表示データを、前記携帯端末に送信する表示データ送信手段とをさらに含む、請求項２〜４のいずれか一項に記載の来店受付システムである。
【００１６】
請求項１〜５に記載の発明によれば、高い精度で本人照合を実現できる来店受付システムを提供することができる。
【図面の簡単な説明】
【００１８】
【図１】本発明の第１実施形態に係る来店受付システムが適用された特典付与システムの構成を示す図である。
【図２】図１に示す来店受付装置を前側から見た斜視図である。
【図３】図１に示す来店受付用リーダライタの構成を図解的に示す斜視図である。
【図４】図１に示す来店受付用リーダライタの電気的構成を示すブロック図である。
【図５】図１に示す携帯電話機の電気的構成を示すブロック図である。
【図６】図１に示す制御用サーバおよびデータベース用サーバの構成を示す電気ブロック図である。
【図７】図６に示すビンゴデータベースの内容を説明するための図である。
【図８】図６に示す遊技客管理用データベースの内容を説明するための図である。
【図９】図１に示す特典付与システムにおける信号授受の流れを示すシーケンス図である。
【図１０】第１接続指示に含まれるＵＲＬを説明するための図である。
【図１１】再度送信される第１接続要求に含まれるＵＲＬを説明するための図である。
【図１２】第２接続指示に含まれるＵＲＬを説明するための図である。
【図１３】第２接続要求に含まれるＵＲＬを説明するための図である。
【図１４】携帯電話機のタッチ時におけるウェブ部の主制御部の制御を示すフローチャートである（その１）。
【図１５】携帯電話機のタッチ時におけるウェブ部の主制御部の制御を示すフローチャートである（その２）。
【図１６】携帯電話機のタッチ時におけるウェブ部の主制御部の制御を示すフローチャートである（その３）。
【図１７】携帯電話機のタッチ時におけるウェブ部の主制御部の制御を示すフローチャートである（その４）。
【図１８】図１に示す携帯電話機の表示部に表示される参加推進用画面の一例を示す図である。
【図１９】図１に示す携帯電話機の表示部に表示される景品案内画面の一例を示す図である。
【図２０】図１に示す携帯電話機の表示部に表示されるビンゴ抽選参加案内画面の一例を示す図である（その１）。
【図２１】図１に示す携帯電話機の表示部に表示されるビンゴ抽選参加案内画面の一例を示す図である（その２）。
【図２２】図１に示す携帯電話機の表示部に表示される景品抽選参加案内画面の一例を示す図である（その１）。
【図２３】図１に示す携帯電話機の表示部に表示される景品抽選参加案内画面の一例を示す図である（その２）。
【図２４】図１に示す携帯電話機の表示部に表示される応募案内画面の具体例を示す図である。
【図２５】図１に示す携帯電話機の表示部に表示される抽選日案内画面の具体例を示す図である。
【図２６】本発明の第２実施形態に係る来店受付システムが適用された特典付与システムにおける信号授受の流れを示すシーケンス図である。
【図２７】本発明の第３実施形態におけるウェブ部の主制御部の制御を示すフローチャートである（その１）。
【図２８】本発明の第３実施形態におけるウェブ部の主制御部の制御を示すフローチャートである（その２）。
【図２９】本発明の第３実施形態におけるウェブ部の主制御部の制御を示すフローチャートである（その３）。
【図３０】本発明の第３実施形態におけるウェブ部の主制御部の制御を示すフローチャートである（その４）。
【発明を実施するための形態】
【００１９】
以下では、この発明の実施の形態を、添付図面を参照して詳細に説明する。
図１は、本発明の一実施形態（第１実施形態）に係る来店受付システムが適用された特典付与システムの構成を示す図である。この特典付与システムは、店舗の一例としての遊技店に適用されている。遊技店内には、多数の遊技台が設置されている。
図１に示す特典付与システムは、遊技客（顧客）の保持する（所有する）携帯端末の一例としての携帯電話機２を用いて、その遊技客の当該遊技店への来店を受け付けとともに、来店を受け付けた遊技客に対し、特典としての後述する特典数字（特典価値）を付与するシステムである。携帯電話機２は、画像を表示するための表示部１７を有している。
【００２０】
この来店受付システムは、遊技店内のたとえば入口付近に設置された来店受付装置４と、遊技店外にそれぞれ設置されたリダイレクト部（リダイレクト装置）５（併せて図６を参照）およびウェブ部（管理装置）６（併せて図６を参照）とを備えている。来店受付装置４は来店受付用リーダライタ（リーダライタ）３を備えている。携帯電話機２が来店受付用リーダライタ３にタッチされることにより、来店受付用リーダライタ３と携帯電話機２とが非接触通信され、これにより、携帯電話機２を保持する遊技客の来店が受け付けられる。なお、この実施形態では、リダイレクト部５およびウェブ部６は、図１に示す制御用サーバ７（併せて図６を参照）およびデータベース用サーバ８（併せて図６を参照）によって構成されている。これら制御用サーバ７およびデータベース用サーバ８は互いに通信可能に接続されている。また、携帯電話機２と制御用サーバ７とは、インターネット回線９を通して通信可能に設けられている。
【００２１】
図２は、来店受付装置４を前側（遊技客が操作する側）から見た斜視図である。
来店受付装置４は、略直方体箱状の本体１０を備えている。本体１０の前面上部は、上端縁から下方に延びる鉛直面からなる第１前面１１と、この第１前面１１の下端縁から延び、前方に向かうに従って下がる傾斜面からなる第１上面１２と、第１上面１２の前端縁（下端縁）から下方に延びる鉛直面からなる第２前面１３と、この第２前面１３の下端縁から延び、前方に向かうに従って下がる第２上面１４とを備えている。第１上面１２および第２上面１４は、水平面に対してたとえば３０〜６０°、好ましくは４５°傾斜している。
【００２２】
本体１０の前面側（上面）には、リーダライタを左右方向（水平方向）に沿って４つ配列し、それを上下２段に設けている。上段のリーダライタ群は第１上面１２に、下段のリーダライタ群は第１上面１４にそれぞれ配列されている。上段の４つのリーダライタは全て遊技台情報用リーダライタ１５である。下段のリーダライタ群のうち３つは遊技台情報用リーダライタ１５であるが、残りの１つ（図２で示す右手前端部）は、来店受付用リーダライタ３である。この来店受付装置４では、各リーダライタ１５，３の読取面が、水平面に対し、前方（遊技客が位置する側）に向かうに従って下がるように傾斜している。
【００２３】
第１前面１１には、上段のリーダライタ群に含まれる複数のリーダライタ１５に対応する遊技台情報の対象になる遊技台の機種を表示する４つの表示部１６が左右方向に並んで配置されている。
第２前面１３には、下段のリーダライタ１５に対応する遊技台情報の対象になる遊技台の機種を表示する３つの表示部１６と、来店受付用リーダライタ３に対応して設けられた来店受付用表示部１８とが配置されている。
【００２４】
各表示部１６，１８は、ペーパー状の表示材（図示しない）と、この表示材を着脱可能に支持するためのホルダ（図示しない）とを備えている。来店受付用表示部１８の表示材は、「ＢＩＮＧＯはこちらにタッチ」など来店受付用リーダライタ３の機能を説明（使用を促進）するようなメッセージや絵柄などが描かれている。
遊技店に入店した遊技客は、自己の保持する携帯電話機２を、来店受付装置４の来店受付用リーダライタ３にタッチさせ、来店受付用リーダライタ３と非接触通信させることにより、特典（後述する）を得ることができる。
【００２５】
また、遊技店に入店した遊技客は、自己の保持する携帯電話機２を、来店受付装置４の遊技台情報用リーダライタ１５にタッチさせ、遊技台情報用リーダライタ１５と非接触通信させることにより、遊技客の保持する携帯電話機２の表示部１７（図１参照）に遊技台情報が表示される。
図３は、来店受付用リーダライタ３の構成を図解的に示す斜視図である。
【００２６】
来店受付用リーダライタ３は、非接触ＩＣ（たとえば、ＦｅｌｉＣａ（登録商標））と非接触通信可能な構成であり、たとえば薄型四角箱状のケーシング１９を有している。ケーシング１９の一方側の主面は、非接触ＩＣとの間で通信を行う際の読取面２０になっている。
図４は、来店受付用リーダライタ３の電気的構成を示すブロック図である。
【００２７】
来店受付用リーダライタ３は、電源回路（図示しない）に給電コード（図示しない）が接続された自己給電型のものである。ケーシング１９の内部には、リーダライタ主制御部（第１接続指示送信手段）２１およびリーダライタ記憶部２２が収容されている。リーダライタ主制御部２１は、たとえはマイクロコンピュータなどで構成されている。このリーダライタ主制御部２１には、回数情報を作成するための回路的に独立したカウンタ情報記憶部２３が接続されている。ケーシング１９の外表面には、読取面２０（図３参照）に関連して、非接触ＩＣ通信を行うためのアンテナ部２４が設けられている。給電コードの先端部にはプラグ（図示しない）が設けられており、プラグが遊技店内のコンセントに差し込まれることにより、給電コードを介して、リーダライタ主制御部２１、リーダライタ記憶部２２、カウンタ情報記憶部２３およびアンテナ部２４に電源電圧が供給されるようになっている。リーダライタ主制御部２１は、アンテナ部２４を介して、非接触ＩＣとの間で通信を行う。
【００２８】
来店受付用リーダライタ３のリーダライタ記憶部２２には、リダイレクト部５のインターネット上の位置を接続先として特定するためのＵＲＬ（Ｕｎｉｆｏｒｍ Ｒｅｓｏｕｒｃｅ Ｌｏｃａｔｏｒ）（リダイレクトＵＲＬ。リダイレクト位置情報）、遊技店（店舗）を識別するための店舗ＩＤ、およびその来店受付用リーダライタ３に固有の番号として付与されているリーダライタＩＤ（位置情報）が記憶されている。より詳しくは、店舗ＩＤはおよびリーダライタＩＤは、一括して暗号化され、その状態でリーダライタ記憶部２２に記憶されている。
【００２９】
カウンタ情報記憶部２３は、たとえば「０００１」から「９９９９」までを記憶可能に設けられている。後述するように携帯電話機２のＩＣチップ３２（図５参照）が来店受付用リーダライタ３との間で非接触無線通信を行うのであるが、その非接触無線通信の度に、リーダライタ主制御部２１はカウンタ情報記憶部２３に記憶されているカウンタ値をインクリメント（＋１）する。このカウンタ値は、来店受付用リーダライタ３（来店受付装置４）の電源オフによってはゼロクリアされない。
【００３０】
図５は、携帯電話機２の電気的構成を示すブロック図である。
携帯電話機２は、携帯電話機２全体の制御を司る主制御部３１と、種々のデータを記憶するための記憶部３７と、ＦｅｌｉＣａ（登録商標）方式の非接触型のＩＣチップ３２とを備えている。主制御部３１は、通信部３３とブラウザ３４とを備えており、マイクロコンピュータなどによって構成されている。また、主制御部３１には表示部１７が接続されている。主制御部３１は、インタフェース３３を介して、ＩＣチップ３２のＩＣチップ制御部３５との間で通信可能とされている。記憶部３７には、携帯電話機２の利用者を識別するための識別情報の一例としてのユーザ識別ＩＤが記憶されている。このユーザ識別ＩＤは、たとえば携帯電話機２の契約者に対し個別に付与される契約者固有ＩＤである。また、見方を変えれば、このユーザ識別ＩＤはＧＵＩＤ（Ｇｌｏｂａｌ Ｕｎｉｑｕｅ ＩＤｅｎｔｉｆｉｅｒ）であると捉えることもできる。ユーザ識別ＩＤは、たとえば英数字を７桁の組み合わせである（英字は大文字／小文字の区別あり）。携帯電話機２の設定がユーザ識別ＩＤの提供を許容している場合において、携帯電話機２のインターネット接続の接続先から、ユーザ識別ＩＤの送信を要求するＩＤ取得要求を受信した場合、その接続先に対して、ユーザ識別ＩＤを送信するようになっている。
【００３１】
ＩＣチップ３２は、ＩＣチップ制御部３５とインタフェース３６とインタフェース３８とを備えている。ＩＣチップ制御部３５は、インタフェース３８を介して、主制御部３１との間で通信可能とされている。また、ＩＣチップ制御部３５は、インタフェース３６を介して、リーダライタ３との間で通信可能とされている。ＩＣチップ３２には、当該ＩＣチップ３２に固有の番号であるＩＤｍ（チップ製造番号）が付与されており、このＩＤｍは、ＩＣチップ３２のＩＣチップ記憶部（図示しない）に記憶されている。
【００３２】
携帯電話機２を来店受付用リーダライタ３にタッチさせると（接近させると）、携帯電話機２の主制御部３１と、ＩＣチップ制御部３５と、リーダライタ主制御部２１との間で三者間通信が行われる。ＩＣチップ制御部３５は、三者間通信において、携帯電話機２の主制御部３１と、リーダライタ主制御部２１との間の中継をする中継装置として機能する。この三者間通信により、携帯電話機２の主制御部３１にブラウザ起動指示が付与され、ブラウザ３４が、来店受付用リーダライタ３から受信するＵＲＬに基づいて起動する。ブラウザ３４の起動後は、ブラウザ３４が、ウェブ部６（次に述べる表示データ用記憶部５３）から送られる表示データに基づいて、その表示データに対応する情報を、携帯電話機２の表示部１７に表示する。
【００３３】
図６は、制御用サーバ７およびデータベース用サーバ８の構成を示すブロック図である。制御用サーバ７は、リダイレクト用制御領域４１とウェブ用制御領域４２とを備えている。リダイレクト用制御領域４１には、主制御部（第１要求手段、第２接続指示作成手段、要求情報付加手段、暗号化手段、復号手段、表示データ作成手段）４３と、この主制御部４３に接続された通信部（第２接続指示送信手段、表示データ送信手段）４４とが備えられている。
【００３４】
主制御部４３は、通信部４４およびインターネット回線９を通して携帯電話機２と通信可能である。ウェブ用制御領域４２には、主制御部（第２識別情報取得手段、照合手段、第２要求手段、特典価値を付加する手段）４５と、この主制御部４５に接続された通信部４６とが備えられている。主制御部４５は、通信部４６およびインターネット回線９を通して携帯電話機２と通信可能である。
【００３５】
データベース用サーバ８は、リダイレクト用記憶領域５１とウェブ用記憶領域５２とを備えている。リダイレクト用記憶領域５１には、ウェブ部６のインターネット上の位置を接続先として特定するためのウェブＵＲＬ（管理位置情報）が記憶されている。また、リダイレクト用記憶領域５１には、リダイレクトカウンタ（図示しない）が設けられている。
【００３６】
主制御部４３は、通信部４４に第１接続要求が付与されると、リダイレクトカウンタの値をインクリメント（＋１）する。リダイレクトカウンタの値のインクリメントは、来店受付用リーダライタ３への１回のタッチに関し１回だけである。このリダイレクトカウンタの値が後述する基準回数情報として扱われる。
ウェブ用記憶領域５２は、後述する種々の表示画面（図１８〜図２５参照）を表示するための表示データを記憶する表示データ用記憶部５３と、次に述べるビンゴカードに関する種々のデータ（顧客の来店に関する情報）を記憶するビンゴデータベース（識別情報記憶手段、特典情報管理手段）５４と、遊技客に関する種々のデータを記憶するための遊技客管理用データベース５５とを備えている。
【００３７】
この実施形態では、携帯電話機２を来店受付用リーダライタ３にタッチさせる遊技客に対して、特典価値の一例としての「数字」（以下、特典数字という）が付与される。この特典数字は、ビンゴデータベース５４により５行５列（縦５列横５列）のマスのビンゴカードの形で管理され、付与された特典数字は各マスに割り当てられる（図２１参照）。各特典数字は、ビンゴカードにおける中央を除く２４マスに割り当てられ（付与され）る。中央はフリースポットであり、最初から数字が付与されたものとして扱われる。
【００３８】
一回のタッチに対し遊技客に付与される特典数字の数は１つである。また、一日当たりのタッチ回数は２回が上限であり、その回数を超えたタッチには特典数字を付与しない。付与される特典数字は、タッチの日付と当該日におけるタッチ回数とに基づいて定められている。具体的には、たとえば６月３０日の１回目タッチに対して、予め定められた数字であるたとえば「１３」が付与され、その日の２回目タッチに対して、予め定められた数字であるたとえば「２０」が付与される。
【００３９】
そして、特典数字を割り当てられたマスが縦・横・斜めのいずれか一列に揃ったとき、すなわち、縦・横・斜めのいずれか１列に含まれるマスに全て特典数字数字が付与された場合にビンゴが成立になる。
ビンゴが成立した遊技客は、乱数抽選からなるビンゴ抽選に参加することができる。ビンゴ抽選に当選すると、店舗から遊技客に対して景品が付与される。
【００４０】
図７は、ビンゴデータベース５４の内容を説明するための図である。
ビンゴデータベース５４は、遊技客に付与された特典数字に関するデータを記憶している。ビンゴデータベース５４では、遊技客の保持する携帯電話機２のユーザ識別ＩＤに対応付けて、ビンゴが成立している列の数（以下、単に「ビンゴ成立数」という。）、残り１個のマスに特典数字が割り当てられる（付与される）ことによりビンゴが成立するリーチになっている列の数（以下、単に「リーチ数」という。）、各遊技客に対しビンゴデータベース５４に登録した日時（以下、「ビンゴカード作成日時」という場合がある。）、割当てテーブルおよび開閉テーブルが記憶されている。割当てテーブルには、各特典数字（「１」〜「２４」）に対応するマスの位置情報が格納されている。各マスの位置情報には、マスの位置に対応する「１」〜「２４」の数字が便宜上用いられている。開閉テーブルには、各マスの位置情報（「１」〜「２４」）の状態（以下、「ステイタス」という場合がある。）を表すデータが記憶されている。そのマスが、ビンゴ成立している列に含まれている場合「３」が、リーチ成立している列に含まれ、特典数字が既に付与されている場合「２」が、特典数字が既に付与されている場合「１」が、特典数字が未だ付与されていない場合「０」が、そのマスの開閉テーブルにそれぞれ格納される。なお、「２」を格納する条件と「１」を格納する条件とが双方成立している場合「２」が優先的に格納され、「３」を格納する条件と、「２」を格納する条件および／または「１」を格納する条件とが成立している場合「３」が優先的に格納されるのは言うまでもない。
【００４１】
図８は、遊技客管理用データベース５５の内容を説明するための図である。遊技客管理用データベース５５は、遊技客の個人情報を記憶している。遊技客管理用データベース５５では、遊技客の保持する携帯電話機２のユーザ識別ＩＤに対応付けて、遊技客の氏名（名前）、遊技客の保持する携帯電話機２のメールアドレス、遊技客の生年月日、遊技客の性別、および遊技客の保持する携帯電話機２のＩＤｍが記憶されている。
【００４２】
図９は、特典付与システムにおける信号授受の流れを示すシーケンス図である。
遊技店に入店した遊技客は、遊技店の入口近くに設置された来店受付装置４の来店受付用リーダライタ３に携帯電話機２をタッチする（かざす）。これにより、携帯電話機２の主制御部３１と、ＩＣチップ３２のＩＣチップ制御部３５と、リーダライタ主制御部２１との間で三者間通信が行われ、リーダライタ主制御部２１は、携帯電話機２のＩＣチップ３２からアンテナ部２４を通してＩＤｍを取得する。取得されたＩＤｍは、リーダライタ記憶部２２に保持される。また、リーダライタ主制御部２１は、カウンタの機能（図示しない）に基づいてカウンタの値をリーダライタ記憶部２２に格納する。
【００４３】
また、リーダライタ主制御部２１は、次に述べる第１接続指示（ブラウザ起動指示）を作成する。
図１０を参照して、第１接続指示に含まれるＵＲＬを説明する。第１接続指示に含まれるＵＲＬは、接続先のＩＰアドレスを指し示す固有部６０と、固有部６０の後に記されるパラメータ６１とを有している。
【００４４】
固有部６０は、接続先のＩＰアドレスを指し示している。この場合には、接続先がリダイレクト部５であるので、固有部６０としてリダイレクトＵＲＬ、すなわちリダイレクト部５のＩＰアドレスを指し示すＵＲＬ（図９および図２６では、このリダイレクトＵＲＬを「Ａ」として表す）が用いられる。
パラメータ６１には、店舗を識別するための店舗ＩＤ、来店受付用リーダライタ３に割り当てられた番号であるリーダライタＩＤ、ＩＤｍ、携帯電話機２が来店受付用リーダライタ３にタッチされた、および回数情報（カウンタ情報記憶部２３のカウント値）が暗号化された状態で保持されている。以下、第１接続指示の作成について説明する。
【００４５】
リーダライタ主制御部２１は、リーダライタ記憶部２２から店舗ＩＤ、リーダライタＩＤおよびＩＤｍを取得するとともに、カウンタ２４から回数情報を取得する。そして、リーダライタ主制御部２１は、各情報を組み合わせたデータ列を作成するとともに、このデータ列をたとえばａｅｓ暗号によって暗号化する。これにより、パラメータ６１が作成される。このパラメータ６１がリーダライタ記憶部２２に記憶されたリダイレクトＵＲＬに付加されて、第１接続指示が生成される。
【００４６】
再び図９を参照して、作成された第１接続指示が、主制御部３１とＩＣチップ制御部３５とリーダライタ主制御部２１との間で実行される三者間通信により、リーダライタ主制御部２１から携帯電話機２の主制御部３１に付与される（１．第１接続指示  ＵＲＬ：Ａ＋パラメータ）。そして、第１接続指示が主制御部３１に受信されることにより、三者間通信が終了する。
【００４７】
携帯電話機２の主制御部３１が第１接続指示を受信すると、主制御部３１のブラウザ３４が起動するとともに、表示部１７のドライバが制御されて、表示部１７の表示がそれまでの待受画面（図示しない）から、接続許可表示画面（図示しない）に切り換えられる。
携帯電話機２の操作により、接続が許可されると、携帯電話機２の主制御部３１は、第１接続指示に含まれるＵＲＬに導かれて、リダイレクト部５に第１接続要求を送信する（２．第１接続要求  ＵＲＬ：Ａ＋パラメータ）。これにより、携帯電話機２の主制御部３１とリダイレクト部５との通信が開始される。
【００４８】
第１接続要求に含まれるＵＲＬは、図１０に示す第１接続指示のＵＲＬと同様のものであり、接続先のＩＰアドレスを指し示す固有部６０と、固有部６０の後に記されるパラメータ６１とを有している。パラメータ６１には、第１接続指示の場合と同様、店舗ＩＤ、リーダライタＩＤ、ＩＤｍおよび回数情報が暗号化された状態で保持されている。
リダイレクト部５の通信部４４が第１接続要求を受信すると、リダイレクト部５の主制御部４３は、第１接続要求のパラメータ６１に「guid=ON」というパラメータ（特許請求の範囲の「要求情報」が「「guid=ON」というパラメータ」に相当する）が含まれているか否かをチェックする。第１接続要求のパラメータ６１に「guid=ON」というパラメータが含まれていない場合、主制御部４３は、携帯電話機２の主制御部３１に対しリダイレクト要求（再接続要求）を送信する（３．再接続要求）。
【００４９】
リダイレクト要求を受信した主制御部３１は、携帯電話機２の電話通信会社が管理する管理装置（図示しない。管理センター）に対し、第１接続要求を転送する。管理装置は、管理装置に管理されている種々のユーザ識別ＩＤから当該携帯電話機２に対応するユーザ識別ＩＤを読み出し、第１接続要求に付加する。管理装置は、たとえばパケット通信データに含まれる識別用の符号情報をキーとして、当該携帯電話機２に対応するユーザ識別ＩＤを読み出す。そして、管理装置は、この第１接続要求を主制御部３１に送信する。主制御部３１は、管理装置から受信した第１接続要求を、リダイレクト部５に送信する。
【００５０】
このときの第１接続要求に含まれるＵＲＬを図１１に示す。第１接続要求には、ユーザ識別ＩＤの付加に伴って、ＵＲＬのパラメータ６１に「guid=ON」というパラメータが含まれるようになる。主制御部３１は、ユーザ識別ＩＤを含む第１接続要求をリダイレクト部５に対し送信する（４．第１接続要求  ＵＲＬ：Ａ＋パラメータ（含：「guid=ON」））。
【００５１】
リダイレクト部５の通信部４４が第１接続要求を受信すると、リダイレクト部５の主制御部４３は、第１接続要求のパラメータ６１に「guid=ON」というパラメータが含まれているか否かをチェックする。第１接続要求のパラメータ６１に「guid=ON」というパラメータが含まれている場合、主制御部４３は、第１接続要求からユーザ識別ＩＤを取得するとともに、第１接続要求に含まれるパラメータ６１を復号し、第１接続要求から店舗ＩＤ、リーダライタＩＤ、ＩＤｍおよび回数情報を取得する。
【００５２】
来店用リーダライタ３に遊技客が携帯電話機２をタッチさせ携帯電話機２に所定操作が行われる度に、第１接続要求がリダイレクト部５に送信されるのであるが、この第１接続要求（のパラメータ６１）に含まれる店舗ＩＤおよびリーダライタＩＤは不変である。一方、第１接続要求（のパラメータ６１）に含まれる回数情報の値はタッチの度に変わる。また、来店用リーダライタ３にタッチされる携帯電話機が異なれば、第１接続要求（のパラメータ６１）に含まれるＩＤｍは異なるようになる。
【００５３】
また、リダイレクト部５の主制御部４３は、第１接続要求から取り出した回数情報（以下、「今回回数情報」という。）が適正範囲内であるか否かを判断する。主制御部４３は、今回回数情報を、リダイレクト用記憶領域５２に設けられたリダイレクトカウントの値である基準回数情報と比較する。そして、今回回数情報がたとえば「１２４０」でありかつ基準回数情報が「１２０９」である場合など、今回回数情報が、基準回数情報に対してたとえば「０」〜「＋５０」の範囲内であれば、適正範囲内にあると判断する。このとき、主制御部４３は、今回回数情報を読み出した後、基準回数情報記憶部（図示しない）に保持されている基準回数情報の値を、今回回数情報の値に書き換える。すなわち、次回以降は、今回回数情報の値が基準回数情報になる。
【００５４】
今回回数情報が基準回数情報よりも「５１」以上小さく、または「５１」以上大きいときは、接続異常があるとしてエラーとして処理される。
一方、今回回数情報が、基準回数情報に対してたとえば「−５０」〜「−１」の範囲内であれば、現在の時刻がタッチ時刻から所定時間（たとえば５分）以内である場合に限り適正範囲であるとして接続が続行されるが、所定時間が経過した後であればエラーとして処理される。
【００５５】
また、リダイレクト部５の主制御部４３は、次に述べる第２接続指示を作成する。
図１２を参照して第２接続指示に含まれるＵＲＬについて説明する。第２接続指示に含まれるＵＲＬは、接続先のＩＰアドレスを指し示す固有部７０と、固有部７０の後に記されるパラメータ７１とを有している。
固有部７０は、接続先のＩＰアドレスを指し示している。この場合には、接続先がウェブ部６であるので、固有部７０としてウェブＵＲＬ、すなわちウェブ部６のＩＰアドレスを指し示すＵＲＬ（図９および図２６では、このウェブＵＲＬを「Ｂ」として表す）が用いられる。
【００５６】
パラメータ７１には、店舗ＩＤ、リーダライタＩＤ、ＩＤｍ、回数情報およびユーザ識別ＩＤが暗号化された状態で保持されている（以下、パラメータ７１に含まれるユーザ識別ＩＤを「第１ユーザ識別ＩＤ」という場合がある。）。また、パラメータ７１には「guid=ON」というパラメータが含まれている（パラメータ７１の末尾部分に「guid=ON」というパラメータが付加されている）。以下、第２接続指示の作成について説明する。
【００５７】
リダイレクト部５の主制御部４３は、第１接続要求から取得した店舗ＩＤ、リーダライタＩＤ、ＩＤｍおよび回数情報と、第１接続要求から取得した第１ユーザ識別ＩＤとを組み合わせてデータ列を作成するとともに、このデータ列をたとえばａｅｓ暗号によって暗号化する。これにより、パラメータ７１が作成される。また、主制御部４３は、このパラメータ７１に「guid=ON」というパラメータを含める。このパラメータ７１がリダイレクト用記憶領域５１に記憶されたウェブ部６のＵＲＬに付加されて、第２接続指示が生成される。
【００５８】
再び図９を参照して、主制御部４３は、作成した第２接続指示を携帯電話機２の主制御部３１に付与する（５．第２接続指示  ＵＲＬ：Ｂ＋可変部（含：「guid=ON」））。携帯電話機２の主制御部３１は、第２接続指示に含まれるＵＲＬに導かれて、ウェブ部６に第２接続要求を送信する（６．第２接続指示  ＵＲＬ：Ｂ＋可変部（含：「guid=ON」））。このとき、第２接続指示を受信した携帯電話機２の主制御部３１は、第２接続指示に含まれるパラメータ７１に「guid=ON」というパラメータが含まれている場合には、携帯電話機２の記憶部３７からユーザ識別ＩＤを読み出し、このユーザ識別ＩＤを第２接続要求に付加する（以下、携帯電話機２によって第２接続要求に付加されたユーザ識別ＩＤを「第２ユーザ識別ＩＤ」という場合がある。）。ウェブ部６には、第２ユーザ識別ＩＤが付加された第２接続要求が送信される。これにより、携帯電話機２の主制御部３１がウェブ部６に接続される。
【００５９】
図１３を参照して第２接続要求に含まれるＵＲＬについて説明する。第２接続指示に含まれるＵＲＬは、図１２に示す第２接続指示の場合と同様のものであり、接続先のＩＰアドレスを指し示す固有部７０と、固有部７０の後に記されるパラメータ７１とを有している。パラメータ７１には、図１２に示す第２接続指示と同様、店舗ＩＤ、リーダライタＩＤ、ＩＤｍ、回数情報および第１ユーザ識別ＩＤが暗号化された状態で保持されている。第２接続要求には、第２ユーザ識別ＩＤも含まれている。
【００６０】
来店用リーダライタ３に遊技客が携帯電話機２をタッチさせ携帯電話機２に所定操作が行われる度に、第２接続要求がウェブ部６に送信されるのであるが、この第２接続要求（のパラメータ７１）に含まれる店舗ＩＤおよびリーダライタＩＤは不変である。一方、第２接続要求（のパラメータ７１）に含まれる回数情報の値はタッチの度に変わる。また、来店用リーダライタ３にタッチされる携帯電話機が異なれば、第２接続要求（のパラメータ７１）に含まれるＩＤｍは異なるようになる。
【００６１】
図１４〜図１７は、携帯電話機２のタッチ時におけるウェブ部６の主制御部４５の制御を示すフローチャートである。
図９および図１４〜図１７を参照して、ウェブ部６の主制御部４５は、携帯電話機２からの接続要求があるか否かを常に監視している（ステップＳ１）。ウェブ部６の通信部４６が第２接続要求を受信すると（ステップＳ１でＹＥＳ）、ウェブ部６の主制御部４５は、第２接続要求から第２ユーザ識別ＩＤを取得するとともに（ステップＳ２）、第２接続要求に含まれるパラメータ７１を復号し（ステップＳ３）、第２接続要求から店舗ＩＤ、リーダライタＩＤ、ＩＤｍ、回数情報および第１ユーザ識別ＩＤを取得する（ステップＳ４）。そして、ウェブ部６の主制御部４５は、第１ユーザ識別ＩＤと第２ユーザ識別ＩＤとを照合し、両ユーザ識別ＩＤが一致するか否かを判別する（ステップＳ５）。また、第１ユーザ識別ＩＤと第２ユーザ識別ＩＤとが一致する場合（ステップＳ５でＹＥＳ）、ウェブ部６の主制御部４５は、有効期限内の接続であることを条件に（ステップＳ６でＹＥＳ。図９に示す「ＯＫ」）、携帯電話機２のタッチはウェブ部６に受け付けられる。その後、ウェブ部６の主制御部４５は、後述する種々の画面（参加推進用画面、次回日時案内画面、景品案内画面または抽選参加案内画面）を表示するための表示データを携帯電話機２に送信する（図９の「７．表示データ」）。一方、両ユーザ識別ＩＤが一致しない場合（ステップＳ５でＮＯ。図９に示す「ＮＧ」）や、有効期限を過ぎた接続である場合（ステップＳ５でＹＥＳかつステップＳ６でＮＯ。図９に示す「ＮＧ」）、ウェブ部６の主制御部４５は、エラーページを表示するためのエラーページ用表示データを携帯電話機２に送信する（ステップＳ７。図９の「８．エラーページ用表示データ」）。そして、携帯電話機２の表示部１７に、エラー画面（図示しない）が表示される。両ユーザ識別ＩＤが一致しない場合（ステップＳ５でＮＯ）のエラー画面（図示しない）では、若い女性が頭を下げた絵とともに、「もうしわけありません。もう一度タッチしてください」とのメッセージが表示され、有効期限を過ぎている場合（ステップＳ５でＹＥＳかつステップＳ６でＮＯ）のエラー画面（図示しない）では、若い女性が頭を下げた絵とともに、「もうしわけありません。もう一度、アクセスするにはタッチし直してください」とのメッセージが表示される。その後、遊技客による携帯電話機２の操作により、ブラウザ３４が終了し、表示部１７には、元の待機画面が表示される。
【００６２】
以上により、来店受付用リーダライタ３と携帯電話機２との間で非接触通信が行われると、リダイレクト部５に第１接続要求が送信される。リダイレクト部５は、携帯電話機２からの第１接続要求を受信すると、携帯電話機２にユーザ識別ＩＤの送信を要求し当該携帯電話機２からユーザ識別ＩＤを受信する。そして、リダイレクト部５は、第１ユーザ識別ＩＤを含むパラメータ７１を有する第２接続指示を作成し、携帯電話機２に付与する。第２接続指示を受信した携帯電話機２は、第１ユーザ識別ＩＤを含むパラメータ７１を有する第２接続要求をウェブ部６に対して送信する。
【００６３】
ウェブ部６は、携帯電話機２からの第２接続要求を受信すると、第２接続要求に含まれるパラメータ７１から第１ユーザ識別ＩＤを取得する。また、ウェブ部６には、携帯電話機２から第２ユーザ識別ＩＤが直接送信される。そして、第２接続要求から取得された第１ユーザ識別ＩＤと、携帯電話機２から直接受信する第２ユーザ識別ＩＤとが照合され、これらのユーザ識別ＩＤが一致しないとき、携帯電話機２を保持する遊技客の来店が受け付けられない。
【００６４】
第２接続要求から取得される第１ユーザ識別ＩＤが真正であるか否かを、携帯電話機２からウェブ部６が直接受信する第２ユーザ識別ＩＤに基づいて判別することができるので、リダイレクト部５からウェブ部６に至る第２接続指示の通信または第２接続要求の通信のセキュリティを高めることができる。これにより、他人によるなりすましを排除することができる。ゆえに、高い精度で本人照合を実現することができる。
【００６５】
次に、図１４〜図１７を参照して、ウェブ部６の主制御部４５の制御を続けて説明する。
第１および第２ユーザ識別ＩＤが一致し、かつ有効期限内である場合（ステップＳ５でＹＥＳかつステップＳ６でＹＥＳ）、次いで、ユーザ識別ＩＤに対応するビンゴカードが検索される（ステップＳ８）。言い換えれば、そのユーザ識別ＩＤがビンゴデータベース５４に記憶されているか否かが判別される。
【００６６】
ユーザ識別ＩＤに対応するビンゴカードがあるとき、すなわちそのユーザ識別ＩＤがビンゴデータベース５４に記憶されているとき（ステップＳ９でＹＥＳ）、次にビンゴが成立しているか否か、すなわち、そのユーザ識別ＩＤに対応するビンゴ成立数が「０」により多いか（１以上か）が調べられる（ステップＳ１４）。
一方、ユーザ識別ＩＤに対応するビンゴカードがないとき、すなわちそのユーザ識別ＩＤがビンゴデータベース５４に記憶されていないとき（ステップＳ９でＮＯ）、ウェブ部６の主制御部４５は、通信部４６を介して、参加推進用画面表示用のデータを携帯電話機２に送信して、携帯電話機２の表示部１７に参加推進用画面を表示させる（ステップＳ１０）。表示部１７に表示される参加推進用画面の一例を図１８に示す。参加推進用画面には、景品（プレゼント）の詳細な案内に接続するための景品案内接続用リンクタグ８１と、ビンゴキャンペーンに登録（ＢＩＮＧＯに参加）するための参加申込画面に接続するための登録接続用リンクタグ８２とが備えられている。登録接続用リンクタグ８２が操作されると、携帯電話機２の表示部１７に参加申込画面（図示しない）が表示される。
【００６７】
景品案内接続用リンクタグ８１が操作されると、ウェブ部６の主制御部４５は、通信部４６を介して、景品案内画面表示用のデータを携帯電話機２に送信して、携帯電話機２の表示部１７に景品案内画面を表示させる。表示部１７に表示される景品案内画面の一例を図１９に示す。景品案内画面には、ビンゴカードに登録（ＢＩＮＧＯに参加）するための参加申込画面に接続するための登録接続用リンクタグ８３が備えられている。登録接続用リンクタグ８３が操作されると、携帯電話機２の表示部１７に参加申込画面（図示しない）が表示される。
【００６８】
これらの参加申込画面（図示しない）において参加申込手続きが行われると（ステップＳ１１でＹＥＳ）、ウェブ部６が取得したユーザ識別ＩＤがビンゴデータベース５４に記憶され、そのユーザ識別ＩＤに対応するデータベースがビンゴデータベース５４に作成される（ビンゴカード作成。ステップＳ１２）。次いで、ステップＳ１４に移行する。
一方、参加推進用画面において、登録接続用リンクタグ８２が操作されないまま、元のページに移行するための操作が行われると、ウェブ部６の主制御部４５は、元のページの表示データを携帯電話機２に送信する。そして、携帯電話機２の表示部１７に、エラー画面（図示しない）が表示される（ステップＳ１３）。
【００６９】
ステップＳ１３においてビンゴが成立している場合（ステップＳ１４でＹＥＳ）、予め定められた１つの特典数字が遊技客に付与される（ステップＳ１５）。ウェブ部６の主制御部４５は、付与される特典数字に対応するマスの開閉テーブルの状態を参照し（ステップＳ１６）、そのマスの状態が「０」であるとき（ステップＳ１７でＹＥＳかつステップＳ１８でＹＥＳ）、そのマスの開閉テーブルに「１」を格納する（ステップＳ１９）。このとき、付与される特典数字に対応するマスが存在しなかったり（ステップＳ１７でＮＯ）、存在していてもそのマスの状態が「０」以外であったりするときは（ステップＳ１７でＹＥＳかつステップＳ１８でＮＯ）、ブラウザ３４が終了して、携帯電話機２の表示部１７には元の待機画面が表示される。これにより、来店受付用リーダライタ３へのタッチに基づくウェブ部６の主制御部４５の制御が終了する。
【００７０】
次いで、ウェブ部６の主制御部４５は、全てのマスについて開閉テーブルの状態（ステイタス）を参照し、ビンゴが成立している列に含まれるマスの開閉テーブルに「３」を格納し（ステップＳ２０，Ｓ２１）、また、リーチ成立している列に含まれかつ特典数字が既に付与されたマスの開閉テーブルに「２」を格納する（ステップＳ２２，Ｓ２３）。そして、ウェブ部６の主制御部４５は、ビンゴデータベース５４に基づいてビンゴカード画像を作成する（ステップＳ２４）。
【００７１】
そして、ビンゴが成立している場合（ステップＳ２５でＹＥＳ）、ビンゴ抽選に未だエントリーしていないことを条件として（ステップＳ２６でＮＯ）、ウェブ部６の主制御部４５は、通信部４６を介して、ビンゴ抽選参加案内画面表示用のデータを携帯電話機２に送信して、携帯電話機２の表示部１７にビンゴ抽選参加案内画面を表示させる（ステップＳ２７）。表示部１７に表示されるビンゴ抽選参加案内画面の一例を図２０および図２１に示す。表示部１７に図２０の画面が表示された状態で、携帯電話機２の操作部の操作により、画面を下方へスクロールさせると、表示部１７に図２１の画面が表示される。
【００７２】
ビンゴ抽選参加案内画面には、景品案内画面（図１９参照）に接続するための景品案内接続用リンクタグ８４と、ビンゴカードに登録（ＢＩＮＧＯに参加）するための参加申込画面に接続するためのビンゴ抽選参加用リンクタグ８５とを備えている。ビンゴ抽選参加用リンクタグ８５が操作されると、携帯電話機２の表示部１７に景品抽選参加案内画面が表示される。表示部１７に表示される景品抽選参加案内画面の一例を図２２および図２３に示す。表示部１７に図２２の画面が表示された状態で、携帯電話機２の操作部の操作により、画面を下方へスクロールさせると、表示部１７に図２３の画面が表示される。景品抽選参加案内画面に含まれる景品抽選参加用リンクタグ８６が操作されると（ステップＳ２８でＹＥＳ）、抽選参加処理が行われる（ステップＳ２９）。
【００７３】
一方、ビンゴが成立していない場合（ステップＳ２５でＮＯ）、ウェブ部６の主制御部４５は、通信部４６を介して、次回日時案内画面表示用のデータを携帯電話機２に送信して、携帯電話機２の表示部１７に、来店受付用リーダライタ３へのタッチにより特典番号を取得可能な次回日時に関する次回日時案内画面（図示しない）を表示させる（ステップＳ３２）。
【００７４】
また、ビンゴが既に成立していてビンゴ抽選へのエントリーが済んでいる場合（ステップＳ２５でＹＥＳでありステップＳ２６でＹＥＳ）、および、ビンゴ抽選画面において、ビンゴ抽選参加用リンクタグ８３や景品抽選参加用リンクタグ８４が操作されないまま、遊技客による携帯電話機２の操作によりブラウザ３４が終了すると（ステップＳ２８でＮＯ）、表示部１７には元の待機画面が表示される。これにより、来店受付用リーダライタ３へのタッチに基づくウェブ部６の主制御部４５の制御が終了する。
【００７５】
ステップＳ２９の抽選参加処理を実行した後、ウェブ部６の主制御部４５は、通信部４６を介して、応募案内画面表示用のデータを携帯電話機２に送信して、携帯電話機２の表示部１７に応募案内画面を表示させる（ステップＳ３０）。表示部１７に表示される応募案内画面の一例を図２４に示す。次いで、ウェブ部６の主制御部４５は、通信部４６を介して、抽選日案内画面表示用のデータを携帯電話機２に送信して、携帯電話機２の表示部１７に抽選日案内画面を表示させる（ステップＳ３１）。表示部１７に表示される抽選日案内画面の一例を図２５に示す。その後、遊技客による携帯電話機２の操作によりブラウザ３４が終了して、携帯電話機２の表示部１７には元の待機画面が表示される。
【００７６】
ビンゴ抽選（すなわち景品抽選）の当選客に対しては、景品が発送される。遊技店の店員などは、遊技客管理用データベース５５から当該遊技客のメールアドレスを読み出し、このメールアドレス宛にビンゴ抽選に当選した旨の電子メールを送信する。そして、電子メールに返送されてきた景品の発送先に充てて景品を発送する。
図２６は、本発明の他の実施形態（第２実施形態）に係る来店受付システムが適用された特典付与システムにおける信号授受の流れを示すシーケンス図である。図２６では、前述した図１〜図２５に示す実施形態の各部に相当する部分には、それら各部と同一の参照符号を付し、その部分についての詳細な説明を省略する。
【００７７】
この実施形態では、来店受付用リーダライタ３へのタッチ（かざす）から、リダイレクト部５の主制御部４３が携帯電話機２から再送信に係る第１接続要求を受信するまでの信号授受の流れは、前述の実施形態の場合（図９に示す「かざす」から「４．第１接続要求  ＵＲＬ：Ａ＋パラメータ（含：「guid=ON」）」まで）と同様であるので、その部分に関する信号授受についての図示は省略し、図２６には、リダイレクト部５の主制御部４３が携帯電話機２から第１接続要求を受信した後の信号授受の流れのみを図示している。
【００７８】
図２６を参照するとともに図５、図６、および図１０〜図１３を適宜参照して、第１接続要求を受信したリダイレクト部５の主制御部４３は、第１接続要求のパラメータ６１に「guid=ON」というパラメータが含まれているか否かをチェックする。第１接続要求のパラメータ６１に「guid=ON」というパラメータが含まれている場合、主制御部４３は、第１接続要求からユーザ識別ＩＤを取得するとともに、第１接続要求に含まれるパラメータ６１を復号し、第１接続要求から店舗ＩＤ、リーダライタＩＤ、ＩＤｍおよび回数情報を取得する。
【００７９】
第２接続指示を作成する過程において、リダイレクト部５の主制御部４３は、第１接続要求から取得した店舗ＩＤおよびＩＤｍと、現在の時刻と、第１接続要求から取得したユーザ識別ＩＤとを組み合わせてデータ列を作成した後、データ列の暗号化に先立って、データ列をハッシュ変換で変換し、ＳＩＤ（データの誤り検出符号）を作成する。このＳＩＤは、リダイレクト用記憶領域５１に記憶される（９．暗号化前のパラメータ７１をハッシュ関数で変換し、ＳＩＤを作成・記憶）。
【００８０】
その後、データ列がたとえばａｅｓ暗号によって暗号化され、これにより、パラメータ７１が作成される。また、主制御部４３は、このパラメータ７１に「guid=ON」というパラメータを含める。このパラメータ７１がリダイレクト用記憶領域５１に記憶されたウェブ部６のＵＲＬに付加されて、第２接続指示が生成される。
そして、作成された第２接続指示が携帯電話機２の主制御部３１に付与されると（５．第２接続指示  ＵＲＬ：Ｂ＋パラメータ（含：「guid=ON」））、携帯電話機２の主制御部３１は、第２接続指示に含まれるＵＲＬに導かれて、ウェブ部６に第２接続要求を送信する（６．第２接続指示  ＵＲＬ：Ｂ＋パラメータ（含：「guid=ON」））。第２接続指示に含まれるパラメータ７１に「guid=ON」というパラメータが含まれているので、第２接続指示を受信した携帯電話機２の主制御部３１は、携帯電話機２の記憶部３７からユーザ識別ＩＤを読み出して第２接続要求に付加する。ウェブ部６には、第２ユーザ識別ＩＤが付加された第２接続要求が送信される。これにより、携帯電話機２の主制御部３１がウェブ部６に接続される。
【００８１】
第２接続要求を受信したウェブ部６の主制御部４５は、第２接続要求から第２ユーザ識別ＩＤを取得するとともに、第２接続要求に含まれるパラメータ７１を復号し、復号後のパラメータ７１（データ列）をハッシュ変換で変換し、ＳＩＤ（データの誤り検出符号）を作成する（１０．復号後のパラメータをハッシュ関数で変換し、ＳＩＤを作成）。そして、ウェブ部６の主制御部４５は、作成したＳＩＤをリダイレクト部５の主制御部４３に送信する（１１．ＳＩＤ送信）。また、ウェブ部６の主制御部４５は、復号後のパラメータ７１（データ列）から第２接続要求から店舗ＩＤ、リーダライタＩＤ、ＩＤｍ、回数情報および第１ユーザ識別ＩＤを取得する。
【００８２】
そして、リダイレクト部５の主制御部４３は、リダイレクト用記憶領域５１からＳＩＤを読み出し、そのＳＩＤと、ウェブ部６から受信したＳＩＤとを照合する（１２．照合処理）。その照合結果は、リダイレクト部５の主制御部４３からウェブ部６の主制御部４５に送信される（１３．照合結果送信）。
【００８３】
そして、両ＳＩＤが一致する場合（図２６に示す「ＯＫ」）、携帯電話機２のタッチはウェブ部６に受け付けられ、種々の画面（参加推進用画面、次回日時案内画面、景品案内画面または抽選参加案内画面）を表示するための表示データを携帯電話機２に送信する（７．表示データ）。この場合、ウェブ部６の主制御部４５は、リダイレクト部５の主制御４３に、ＳＩＤを削除するためのＳＩＤ削除指示を送信する（１４．ＳＩＤ削除指示）。ＳＩＤ削除指示を受信したリダイレクト部５の主制御部４３は、リダイレクト用記憶領域５１からＳＩＤを削除する（１５．ＳＩＤ削除）。
【００８４】
一方、両ＳＩＤが一致しない場合（図２６に示す「ＮＧ」）、携帯電話機２のタッチはウェブ部６に受け付けられず、ウェブ部６の主制御部４５は、エラーページを表示するためのエラーページ用表示データを携帯電話機２に送信する（「８．エラーページ用表示データ」）。
以上により、この実施形態では、送信前の第２接続指示のパラメータ７１に基づいて作成したＳＩＤをリダイレクト用記憶領域５１に記憶しておき、受信した第２接続要求のパラメータ７１に基づいて作成したＳＩＤを、リダイレクト用記憶領域５１に記憶されているＳＩＤと照合する。そして、照合の結果、両ＳＩＤが一致しないとき、携帯電話機２を保持する遊技客の来店が受け付けられない。
【００８５】
これにより、リダイレクト部５からウェブ部６に至る第２接続指示の通信または第２接続要求の通信のセキュリティを高めることができ、とくに携帯電話機２のブックマーク機能やＵＲＬ履歴機能などを用いた接続など、来店受付用リーダライタ３へのタッチを伴わない接続を排除することができる。
図２７〜図３０は、本発明のさらに他の実施形態（第３実施形態）におけるウェブ部６の主制御部４５の制御を示すフローチャートである。
【００８６】
この図２７〜図３０に示す実施形態が、図２６の実施形態（第３実施形態）と相違する点は、ウェブ部６におけるＳＩＤの作成（１０．復号後のパラメータをハッシュ関数で変換し、ＳＩＤを作成）、ウェブ部６からリダイレクト部５へのＳＩＤの送信（図２６に示す１１．ＳＩＤ送信）、リダイレクト部５におけるＳＩＤの照合（図２６に示す１２．照合処理）、リダイレクト部５からウェブ部６への照合結果の送信（図２６に示す１３．照合結果送信）、ウェブ部６からリダイレクト部５へのＳＩＤ削除指示の送信（図２６に示す１４．ＳＩＤ削除指示）およびリダイレクト部５におけるＳＩＤの削除（図２６に示す１５．ＳＩＤ削除）が、ウェブ部６による第２接続要求の受信直後ではなく、遊技客に１つの特典数字が付与されるタイミングの直前に行われる点である。言い換えれば、携帯電話機２のタッチが、ＳＩＤの照合なしに、ウェブ部６に受け付けられることになる。以下、図２７〜図３０を参照しつつ説明する。
【００８７】
第３実施形態においても第２実施形態と同様、第２接続指示を作成する過程において、リダイレクト部５の主制御部４３は、第１接続要求から取得した店舗ＩＤおよびＩＤｍと、現在の時刻と、第１接続要求から取得したユーザ識別ＩＤとを組み合わせてデータ列を作成した後、データ列の暗号化に先立って、データ列をハッシュ変換で変換し、ＳＩＤ（データの誤り検出符号）を作成する。そして、ＳＩＤは、リダイレクト用記憶領域５１に記憶される。
【００８８】
その後、データ列がたとえばａｅｓ暗号によって暗号化され、これにより、パラメータ７１が作成される。また、主制御部４３は、このパラメータ７１に「guid=ON」というパラメータを含める。このパラメータ７１がリダイレクト用記憶領域５１に記憶されたウェブ部６のＵＲＬに付加されて、第２接続指示が生成される。
そして、作成された第２接続指示が携帯電話機２の主制御部３１に付与されると、携帯電話機２の主制御部３１は、第２接続指示に含まれるＵＲＬに導かれて、ウェブ部６に第２接続要求を送信する。これにより、携帯電話機２がウェブ部６に接続される。
【００８９】
ウェブ部６は、第２接続要求を受信すると（ステップＳ１０１でＹＥＳ）、第２接続要求から第２ユーザ識別ＩＤを取得するとともに（ステップＳ１０２）、第２接続要求に含まれる復号前のパラメータ７１を、ウェブ用記憶領域５２に格納する。その後、ウェブ部６は、第２接続要求に含まれるパラメータ７１を復号し（ステップＳ１０３）、第２接続要求から第１ユーザ識別ＩＤを取得する（ステップＳ１０４）。次いで、ウェブ部６は、第１ユーザ識別ＩＤと第２ユーザ識別ＩＤとを照合する（ステップＳ１０５）。また、第１ユーザ識別ＩＤと第２ユーザ識別ＩＤとが一致し（ステップＳ１０５でＹＥＳ）、かつ有効期限内の接続であることを条件に（ステップＳ１０６でＹＥＳ）、携帯電話機２のタッチはウェブ部６に受け付けられる。その後、ウェブ部６は、表示データを携帯電話機２に送信する。一方、両ユーザ識別ＩＤが一致しない場合（ステップＳ１０５でＮＯ）や、有効期限を過ぎた接続である場合（ステップＳ１０５でＹＥＳかつステップＳ１０６でＮＯ）、ウェブ部６は、エラーページ用表示データを携帯電話機２に送信する（ステップＳ１０７）。これらのステップＳ１０１，Ｓ１０２，Ｓ１０３，Ｓ１０４，Ｓ１０５，Ｓ１０６，Ｓ１０７の処理は、それぞれ、図１４のステップＳ１，Ｓ２，Ｓ３，Ｓ４，Ｓ５，Ｓ６，Ｓ７と同様の処理である。
【００９０】
携帯電話機２のタッチはウェブ部６に受け付けられると（ステップＳ１０５でＹＥＳかつステップＳ１０６でＹＥＳ）、次いで、ユーザ識別ＩＤに対応するビンゴカードが検索される（ステップＳ１０８）。
ユーザ識別ＩＤに対応するビンゴカードがあるとき（ステップＳ１０９でＹＥＳ）、次にビンゴが成立しているか否かが調べられる（ステップＳ１１４）。
【００９１】
一方、ユーザ識別ＩＤに対応するビンゴカードがないとき（ステップＳ１０９でＮＯ）、ウェブ部６は、参加推進用画面表示用のデータを携帯電話機２に送信する（ステップＳ１１０）。そして、参加申込画面（図示しない）において参加申込手続きが行われると（ステップＳ１１１でＹＥＳ）、ウェブ部６が取得したユーザ識別ＩＤに対応するデータベースがビンゴデータベース５４に作成された後（ビンゴカード作成。ステップＳ１１２）、ステップＳ１１４に移行する。
【００９２】
また、参加推進用画面において、登録接続用リンクタグ８２が操作されないまま、元のページに移行するための操作が行われると、ウェブ部６の主制御部４５は、元のページの表示データを携帯電話機２に送信する（ステップＳ１１３）。これらのステップＳ１０８，Ｓ１０９，Ｓ１１０，Ｓ１１１，Ｓ１１２，Ｓ１１３，Ｓ１１４の処理は、それぞれ、図１５のステップＳ８，Ｓ９，Ｓ１０，Ｓ１１，Ｓ１２，Ｓ１３，Ｓ１４と同様の処理である。
【００９３】
ステップＳ１１３においてビンゴが成立している場合（ステップＳ１１４でＹＥＳ）、ウェブ部６の主制御部４５は、記憶領域５３に記憶されている復号前のパラメータ７１を復号し、復号後のパラメータ７１（データ列）をハッシュ変換で変換し、ＳＩＤを作成する（ステップＳ１１５）。そして、ウェブ部６の主制御部４５は、作成したＳＩＤをリダイレクト部５の主制御部４３に送信する（ステップＳ１１６）。
【００９４】
一方、ウェブ部６からＳＩＤを受信したリダイレクト部５の主制御部４３は、リダイレクト用記憶領域５１からＳＩＤを読み出し、読み出したＳＩＤと、ウェブ部６から受信したＳＩＤとを照合する。そして、リダイレクト部５の主制御部４３、その照合結果をウェブ部６に送信する（ステップＳ１１７）。
そして、リダイレクト部５からの照合結果を受信したウェブ部６の主制御部４５は、
両ＳＩＤが一致する場合は（ステップＳ１１８でＹＥＳ）、リダイレクト部５の主制御４３に、ＳＩＤを削除するためのＳＩＤ削除指示を送信する（ステップＳ１１９）とともに、予め定められた１つの特典数字を遊技客に付与する（ステップＳ１２５）。ＳＩＤ削除指示を受信したリダイレクト部５の主制御部４３は、リダイレクト用記憶領域５１からＳＩＤを削除する。
【００９５】
一方、両ＳＩＤが一致しない場合（ステップＳ１１８でＮＯ）、特典数字は遊技客に付与されず、ウェブ部６の主制御部４５が、エラーページを表示するためのエラーページ用表示データを携帯電話機２に送信する。そして、携帯電話機２の表示部１７に、エラー画面（図示しない）が表示される（ステップＳ１２０）。
ウェブ部６の主制御部４５は、付与される特典数字に対応するマスの開閉テーブルの状態を参照し（ステップＳ１２６）、そのマスの状態が「０」であるとき（ステップＳ１２７でＹＥＳかつステップＳ１２８でＹＥＳ）、そのマスの開閉テーブルに「１」を格納する（ステップＳ１２９）。
【００９６】
次いで、ウェブ部６の主制御部４５は、全てのマスについて開閉テーブルの状態（ステイタス）を参照し、ビンゴが成立している列に含まれるマスの開閉テーブルに「３」を、リーチ成立している列に含まれかつ特典数字が既に付与されたマスの開閉テーブルに「２」をそれぞれ格納する（ステップＳ１３０〜Ｓ１３３）。そして、ウェブ部６の主制御部４５は、ビンゴデータベース５４に基づいてビンゴカード画像を作成する（ステップＳ１３４）。
【００９７】
そして、ビンゴが成立している場合（ステップＳ１３５でＹＥＳ）、ビンゴ抽選に未だエントリーしていないことを条件として（ステップＳ１３６でＮＯ）、ウェブ部６の主制御部４５は、ビンゴ抽選参加案内画面表示用のデータを携帯電話機２に送信する（ステップＳ１３７）。また、表示部１７に表示される景品抽選参加案内画面（図２２、図２３参照）に含まれる景品抽選参加用リンクタグ８６が操作されると（ステップＳ１３８でＹＥＳ）、抽選参加処理が行われる（ステップＳ１３９）。
【００９８】
一方、ビンゴが成立していない場合（ステップＳ１３５でＮＯ）、ウェブ部６の主制御部４５は、次回日時案内画面表示用のデータを携帯電話機２に送信する（ステップＳ１４２）。
ステップＳ１３９の抽選参加処理を実行した後、ウェブ部６の主制御部４５は、通信部４６を介して、応募案内画面表示用のデータを携帯電話機２に送信し（ステップＳ１４０）、次いで、抽選日案内画面表示用のデータを携帯電話機２に送信する（ステップＳ１４１）。これらのステップＳ１２５，Ｓ１２６，Ｓ１２７，Ｓ１２８，Ｓ１２９，Ｓ１３０，Ｓ１３１，Ｓ１３２，Ｓ１３３，Ｓ１３４，Ｓ１３５，Ｓ１３６，Ｓ１３７，Ｓ１３８，Ｓ１３９，Ｓ１４０，Ｓ１４１，Ｓ１４２の処理は、それぞれ、図１５、図１６または図１７のステップＳ１５，Ｓ１６，Ｓ１７，Ｓ１８，Ｓ１９，Ｓ２０，Ｓ２１，Ｓ２２，Ｓ２３，Ｓ２４，Ｓ２５，Ｓ２６，Ｓ２７，Ｓ２８，Ｓ２９，Ｓ３０，Ｓ３１，Ｓ３２の処理と同様の処理である。
【００９９】
以上により、第３実施形態では、照合の結果、両ＳＩＤが一致するときのみ特典数字が遊技客に付与され、両ＳＩＤが一致しないとき、特典数字が遊技客に付与されない。
以上、この発明の３つの実施形態について説明したが、この発明は他の形態でも実施することができる。
たとえば、来店受付装置４は、遊技台情報用リーダライタ１５を備えない構成であってもよい。言い換えれば、来店受付装置４は、リーダライタとして、１または複数の来店受付用リーダライタ３だけを備える構成であってもよい。
【０１００】
また、リダイレクト部５およびウェブ部６が全体として、２つのサーバ７，８に分離された構成に限られず、１つのサーバに設けられた構成であってもよい。さらに、リダイレクト部５およびウェブ部６が、それぞれリダイレクトサーバおよびウェブサーバとして、異なるサーバに設けられた構成としてもよい。
また、前述の各実施形態では、１列のビンゴが成立した場合にビンゴ抽選への参加が許可されるとしたが、予め定める複数列のビンゴが成立することを条件にビンゴ抽選への参加が許可されていてもよい。また、ビンゴ抽選を省略し、予め定める数の列のビンゴが成立すれば、その遊技客（顧客）に対し景品が付与されていてもよい。
【０１０１】
タッチ可能な回数を、一日当たり２回が上限であるとしたが、一日当たりのタッチ回数は１回に限定されていてもよいし、３回以上の所定値を上限にしてもよい。また、「一日」を基準とするのではなく、それ以外の期間が基準であってもよい。たとえば一週間当たりＸ回（Ｘは自然数）であってもよいし、一ヶ月当たりＹ回（Ｙは自然数）であってもよい。また、一回のタッチに対し遊技客に付与される特典数字の数が２つ以上であってもよい。
【０１０２】
また、特典価値をビンゴカード以外の形で管理してもよい。たとえば、特典価値をポイントとし、そのポイントを蓄積する形で管理してもよい。
携帯端末として、携帯電話機の他、ＰＤＡあるいはスマートフォンなどのこれらの中間的な機能を持つ端末などを採用することができる。
また、この特典付与システムは、遊技店への適用に限られず、飲食店や小売店など他の業態の店舗に適用することができる。
【０１０３】
また、本発明に係る来店受付システムは、特典付与システムに適用されてなくてもよい。
その他、特許請求の範囲に記載された事項の範囲で種々の設計変更を施すことが可能である。
【符号の説明】
【０１０４】
２  携帯電話機（携帯端末）
３  来店受付用リーダライタ（リーダライタ）
５  リダイレクト部（リダイレクト装置）
６  ウェブ部（管理装置）
９  インターネット回線
１７  表示部
２１  リーダライタ主制御部（第１接続指示送信手段）
４３  主制御部（第１要求手段、第２接続指示作成手段、第２要求手段、要求情報付加手段、暗号化手段、復号手段、表示データ作成手段）
４４  通信部（第２接続指示送信手段、表示データ送信手段）
４５  主制御部（第２識別情報取得手段、照合手段、特典価値を付加する手段）
５４  ビンゴデータベース（識別情報記憶手段、特典情報管理手段）
７１  パラメータ
【図１】
0005517796.tif 000002
【図２】
0005517796.tif 000003
【図３】
0005517796.tif 000004
【図４】
0005517796.tif 000005
【図５】
0005517796.tif 000006
【図６】
0005517796.tif 000007
【図７】
0005517796.tif 000008
【図８】
0005517796.tif 000009
【図９】
0005517796.tif 000010
【図１０】
0005517796.tif 000011
【図１１】
0005517796.tif 000012
【図１２】
0005517796.tif 000013
【図１３】
0005517796.tif 000014
【図１４】
0005517796.tif 000015
【図１５】
0005517796.tif 000016
【図１６】
0005517796.tif 000017
【図１７】
0005517796.tif 000018
【図１８】
0005517796.tif 000019
【図１９】
0005517796.tif 000020
【図２０】
0005517796.tif 000021
【図２１】
0005517796.tif 000022
【図２２】
0005517796.tif 000023
【図２３】
0005517796.tif 000024
【図２４】
0005517796.tif 000025
【図２５】
0005517796.tif 000026
【図２６】
0005517796.tif 000027
【図２７】
0005517796.tif 000028
【図２８】
0005517796.tif 000029
【図２９】
0005517796.tif 000030
【図３０】
0005517796.tif 000031